(57)【要約】【課題】簡素な構成で、使用者に痛みや不快感を覚えさせることなく、スパウトを安定して把持することが可能なスパウトおよびスパウト付きパウチを提供すること。【解決手段】第１フランジ部３５の第１表側フランジ端面３５ａが、中央位置Ｃにおいて取付部３２の表側取付部端面３２ａよりもパウチ表裏方向Ｙの外側に位置し、第１フランジ部３５の第１裏側フランジ端面３５ｂが、中央位置Ｃにおいて取付部３２の裏側取付部端面３２ｂよりもパウチ表裏方向Ｙの外側に位置し、中央位置Ｃにおける、表側取付部端面３２ａと第１表側フランジ端面３５ａとの間のパウチ表裏方向Ｙの距離Ｄ１は、０．５ｍｍ以内に設定され、中央位置における、表側取付部端面３２ａと第１裏側フランジ端面３５ｂとの間のパウチ表裏方向Ｙの距離Ｄ２は、０．５ｍｍ以内に設定されているスパウト３０。【選択図】図３
2020063082.tif 000002
【特許請求の範囲】
【請求項１】
パウチに装着される取付部と、前記取付部の上方に形成される１つ以上のフランジ部と、前記取付部に形成され上下方向に沿って延びる注出孔とを備えたスパウトであって、
前記１つ以上のフランジ部には、最も下方に形成される第１フランジ部が含まれ、
前記取付部は、パウチ表裏方向における表側に面する表側取付部端面と、パウチ表裏方向における裏側に面する裏側取付部端面とを有し、
前記第１フランジ部は、パウチ表裏方向における表側に面する第１表側フランジ端面と、パウチ表裏方向における裏側に面する第１裏側フランジ端面とを有し、
前記第１表側フランジ端面は、パウチ左右方向において前記注出孔の中心軸に対応する中央位置において、前記表側取付部端面よりもパウチ表裏方向の外側に位置し、
前記第１裏側フランジ端面は、前記中央位置において、前記裏側取付部端面よりもパウチ表裏方向の外側に位置し、
前記中央位置における、前記表側取付部端面と前記第１表側フランジ端面との間のパウチ表裏方向の距離Ｄ１は、０．５ｍｍ以内に設定され、
前記中央位置における、前記裏側取付部端面と前記第１裏側フランジ端面との間のパウチ表裏方向の距離Ｄ２は、０．５ｍｍ以内に設定されていることを特徴とするスパウト。
【請求項２】
請求項１に記載のスパウトと、表側フィルム部および裏側フィルム部を有し前記取付部に装着されるパウチとを備えたスパウト付きパウチであって、
前記距離Ｄ１は、前記表側フィルム部の厚み寸法Ｔ１以上に設定され、
前記距離Ｄ２は、前記裏側フィルム部の厚み寸法Ｔ２以上に設定されていることを特徴とする請求項１に記載のスパウト付きパウチ。
【請求項３】
前記距離Ｄ１は、前記表側フィルム部の厚み寸法Ｔ１の１．０〜３．０倍に設定され、
前記距離Ｄ２は、前記裏側フィルム部の厚み寸法Ｔ２の１．０〜３．０倍に設定されていることを特徴とする請求項２に記載のスパウト付きパウチ。
【請求項４】
パウチに装着される取付部と、前記取付部の上方に形成される１つ以上のフランジ部と、前記取付部に形成され上下方向に沿って延びる注出孔とを備えたスパウトであって、
前記１つ以上のフランジ部には、最も下方に形成される第１フランジ部が含まれ、
前記取付部は、パウチ表裏方向における表側に面する表側取付部端面と、パウチ表裏方向における裏側に面する裏側取付部端面とを有し、
前記第１フランジ部は、パウチ表裏方向における表側に面する第１表側フランジ端面と、パウチ表裏方向における裏側に面する第１裏側フランジ端面とを有し、
前記第１表側フランジ端面は、パウチ左右方向において前記注出孔の中心軸に対応する中央位置において、前記表側取付部端面よりもパウチ表裏方向の内側、または、前記表側取付部端面とパウチ表裏方向の同じ位置に位置し、
前記第１裏側フランジ端面は、前記中央位置において、前記裏側取付部端面よりもパウチ表裏方向の内側、または、前記裏側取付部端面とパウチ表裏方向の同じ位置に位置していることを特徴とするスパウト。
【請求項５】
前記スパウトは、前記取付部および前記フランジ部を有したスパウト本体と、前記スパウト本体に対してねじ係合によって取り付けられるキャップ部とを有し、
前記第１表側フランジ端面または前記第１裏側フランジ端面の少なくとも一方は、パウチ左右方向における前記中央位置よりも、キャップ開栓時における前記キャップ部に対する前記スパウト本体の相対的な回転方向の前方側に寄った位置のみに、パウチ表裏方向の外側に膨出した第１フランジ膨出部を有していることを特徴とする請求項１または請求項４に記載のスパウト。
【請求項６】
前記フランジ部には、前記第１フランジ部の上方に形成された第２フランジ部が含まれ、
前記第２フランジ部は、パウチ表裏方向における表側に面する第２表側フランジ端面と、パウチ表裏方向における裏側に面する第２裏側フランジ端面とを有し、
前記第２表側フランジ端面および前記第２裏側フランジ端面は、パウチ左右方向における前記中央位置よりも、前記回転方向の前方側および後方側に寄った位置に、パウチ表裏方向の外側に張り出した第２フランジ膨出部をそれぞれ有していることを特徴とする請求項５に記載のスパウト。
【請求項７】
前記各第２フランジ膨出部は、パウチ左右方向および上下方向に平行なフラット部を有し、
前記フラット部は、パウチ表裏方向における前記第１フランジ部の前記フランジ膨出部の最外箇所よりもパウチ表裏方向の外側、または、パウチ表裏方向において前記第１フランジ部の前記フランジ膨出部の最外箇所と同じ位置に位置していることを特徴とする請求項６に記載のスパウト。
【発明の詳細な説明】
【技術分野】
【０００１】
本発明は、パウチに装着されるスパウトおよびスパウト付きパウチに関し、特に、パウチに装着される取付部の上方にフランジ部が形成されたスパウトおよびスパウト付きパウチに関する。
【背景技術】
【０００２】
従来、ゼリー状飲料等の内容物を収容する容器として、重ねたフィルムを所定箇所で熱溶着することで袋状に形成したパウチの注出口にスパウトを装着したスパウト付きパウチが広く用いられている。
【０００３】
このようなスパウトには、パウチに装着される取付部の上方に、外周側に突出するフランジ部が形成されることが知られている（例えば特許文献１を参照）。
【先行技術文献】
【特許文献】
【０００４】
【特許文献１】特開２０１３−０７１７８１号公報
【発明の概要】
【発明が解決しようとする課題】
【０００５】
このようなスパウト付きパウチでは、使用者がキャップ開閉の操作を行う時、使用者が、一方の手の指で取付部の上方に形成されたフランジ部を掴むとともに、他方の手の指でキャップを掴んだ状態で、キャップを回転させることがある。
【０００６】
ところが、上下方向におけるフランジ部の厚みは薄く形成されているのが一般的であるため、フランジ部を掴んだ指にフランジ部が食い込み、使用者に痛みや不快感を覚させてしまうことがあるといった問題があった。
【０００７】
そこで、本発明は、これらの問題点を解決するものであり、簡素な構成で、使用者に痛みや不快感を覚えさせることなく、スパウトを安定して把持することが可能なスパウトおよびスパウト付きパウチを提供することを目的とするものである。
【課題を解決するための手段】
【０００８】
本発明のスパウトは、パウチに装着される取付部と、前記取付部の上方に形成される１つ以上のフランジ部と、前記取付部に形成され上下方向に沿って延びる注出孔とを備えたスパウトであって、前記１つ以上のフランジ部には、最も下方に形成される第１フランジ部が含まれ、前記取付部は、パウチ表裏方向における表側に面する表側取付部端面と、パウチ表裏方向における裏側に面する裏側取付部端面とを有し、前記第１フランジ部は、パウチ表裏方向における表側に面する第１表側フランジ端面と、パウチ表裏方向における裏側に面する第１裏側フランジ端面とを有し、前記第１表側フランジ端面は、パウチ左右方向において前記注出孔の中心軸に対応する中央位置において、前記表側取付部端面よりもパウチ表裏方向の外側に位置し、前記第１裏側フランジ端面は、前記中央位置において、前記裏側取付部端面よりもパウチ表裏方向の外側に位置し、前記中央位置における、前記表側取付部端面と前記第１表側フランジ端面との間のパウチ表裏方向の距離Ｄ１は、０．５ｍｍ以内に設定され、前記中央位置における、前記裏側取付部端面と前記第１裏側フランジ端面との間のパウチ表裏方向の距離Ｄ２は、０．５ｍｍ以内に設定されていることにより、前記課題を解決するものである。
また、本発明の他の態様のスパウトは、パウチに装着される取付部と、前記取付部の上方に形成される１つ以上のフランジ部と、前記取付部に形成され上下方向に沿って延びる注出孔とを備えたスパウトであって、前記１つ以上のフランジ部には、最も下方に形成される第１フランジ部が含まれ、前記取付部は、パウチ表裏方向における表側に面する表側取付部端面と、パウチ表裏方向における裏側に面する裏側取付部端面とを有し、前記第１フランジ部は、パウチ表裏方向における表側に面する第１表側フランジ端面と、パウチ表裏方向における裏側に面する第１裏側フランジ端面とを有し、前記第１表側フランジ端面は、パウチ左右方向において前記注出孔の中心軸に対応する中央位置において、前記表側取付部端面よりもパウチ表裏方向の内側、または、前記表側取付部端面とパウチ表裏方向の同じ位置に位置し、前記第１裏側フランジ端面は、前記中央位置において、前記裏側取付部端面よりもパウチ表裏方向の内側、または、前記裏側取付部端面とパウチ表裏方向の同じ位置に位置していることにより、前記課題を解決するものである。
また、本発明の他の態様のスパウト付きパウチは、前記スパウトと、表側フィルム部および裏側フィルム部を有し前記取付部に装着されるパウチとを備えたスパウト付きパウチであって、前記距離Ｄ１は、前記表側フィルム部の厚み寸法Ｔ１以上に設定され、前記距離Ｄ２は、前記裏側フィルム部の厚み寸法Ｔ２以上に設定されていることにより、前記課題を解決するものである。
【発明の効果】
【０００９】
本請求項１に係る発明によれば、第１表側フランジ端面および第１裏側フランジ端面が、パウチ左右方向において注出孔の中心軸に対応する中央位置において、表側取付部端面または裏側取付部端面よりもパウチ表裏方向の外側に位置している場合において、中央位置における表側取付部端面と第１表側フランジ端面との間のパウチ表裏方向の距離Ｄ１が０．５ｍｍ以内に設定されているとともに、中央位置における裏側取付部端面と第１裏側フランジ端面との間のパウチ表裏方向の距離Ｄ２が０．５ｍｍ以内に設定されている。これにより、取付部と第１フランジ部との間の段差が小さくなり、キャップ開閉時等において、使用者が指でスパウトを把持する時に、使用者が取付部および第１フランジ部の両方を把持することが容易になるため、第１フランジ部が使用者の指に食い込むことを抑制でき、使用者に痛みや不快感を覚えさせることなく、スパウトを安定して把持することができる。また、第１フランジ部の材料の量を低減することが可能であるため、製造コストを低減できる。
【００１０】
本請求項２に係る発明によれば、表側取付部端面と第１表側フランジ端面との間のパウチ表裏方向の距離Ｄ１を、表側フィルム部の厚み寸法Ｔ１以上に設定するとともに、裏側取付部端面と第１裏側フランジ端面との間のパウチ表裏方向の距離Ｄ２を、裏側フィルム部の厚み寸法Ｔ２以上に設定することにより、使用者が指でスパウトを把持する時に、使用者の指が表側フィルム部および裏側フィルムの縁部に当たることを抑制することが可能であるため、使用者に痛みや不快感を覚えさせることなく、スパウトを把持することができる。
本請求項３に係る発明によれば、表側取付部端面と第１表側フランジ端面との間のパウチ表裏方向の距離Ｄ１を、表側フィルム部の厚み寸法Ｔ１の１．０〜３．０倍に設定するとともに、裏側取付部端面と第１裏側フランジ端面との間のパウチ表裏方向の距離Ｄ２を、裏側フィルム部の厚み寸法Ｔ２の１．０〜３．０倍に設定することにより、使用者が指でスパウトを把持する時に、スパウトの取付部に対して各フィルム部を溶着する時に各フィルム部の接着層等が溶融して形成される所謂ポリ溜まりに、使用者の指が触れることを抑制することができる。
本請求項４に係る発明によれば、第１表側フランジ端面が、中央位置において表側取付部端面よりもパウチ表裏方向の内側または表側取付部端面とパウチ表裏方向の同じ位置に位置しているとともに、第１裏側フランジ端面が、中央位置において裏側取付部端面よりもパウチ表裏方向の内側または裏側取付部端面とパウチ表裏方向の同じ位置に位置している。これにより、キャップ開閉時等において、第１フランジ部が使用者の指に食い込むことを抑制することが可能であるため、使用者に痛みや不快感を覚えさせることなく、スパウトを安定して把持することができる。
本請求項５に係る発明によれば、第１表側フランジ端面または第１裏側フランジ端面の少なくとも一方が、パウチ左右方向における中央位置よりも、キャップ開栓時におけるキャップ部に対するスパウト本体の相対的な回転方向の前方側に寄った位置のみに、パウチ表裏方向の外側に膨出した第１フランジ膨出部を有していることにより、キャップ開封時に、使用者の指を第１フランジ膨出部に引っ掛けることが可能であるため、キャップの開け易さを向上することができるとともに、キャップ閉塞時には、使用者の指が第１フランジ膨出部に引っ掛かることが回避されるため、キャップの締め過ぎを抑制することができる。
本請求項７に係る発明によれば、パウチ左右方向および上下方向に平行に形成された各第２フランジ膨出部のフラット部が、パウチ表裏方向における第１フランジ部のフランジ膨出部の最外箇所よりもパウチ表裏方向の外側、または、パウチ表裏方向において第１フランジ部のフランジ膨出部の最外箇所と同じ位置に位置していることにより、スパウト付きパウチの搬送時等において、搬送方向に前後のスパウト間でフラット部同士を当接させて、搬送方向に沿って複数のスパウト付きパウチを玉突き状態で搬送することが可能であるため、スパウト付きパウチの搬送性を向上させることができる。
【図面の簡単な説明】
【００１１】
【図１】本発明の一実施形態に係るスパウト付きパウチを示す説明図。
【図２】スパウト本体をパウチ表裏方向に見て示す説明図。
【図３】第１フランジ部と取付部との寸法関係を上方から見て示す説明図。
【図４】第２フランジ部と取付部との寸法関係を上方から見て示す説明図。
【図５】第１フランジ部または第２フランジ部の変形例を示す説明図。
【図６】第２フランジ部の変形例を示す説明図。
【発明を実施するための形態】
【００１２】
以下に、本発明の一実施形態に係るスパウト付きパウチ１０について、図面に基づいて説明する。
【００１３】
スパウト付きパウチ１０は、図１に示すように、重ねたフィルムを所定箇所で熱溶着することで袋状に形成されたパウチ２０に、注出口として機能するスパウト３０を装着して構成され、ゼリー状飲料等の粘性および流動性を有した内容物（内容液）を収容するものである。
【００１４】
以下、スパウト付きパウチ１０の各構成要素について、図面に基づいて説明する。
【００１５】
スパウト３０は、合成樹脂等から形成され、図１に示すように、パウチ２０に装着されるスパウト本体３１と、スパウト本体３１に着脱可能にねじ係合によって取り付けられるキャップ部３７とを有している。
【００１６】
スパウト本体３１は、図１〜４に示すように、その断面形状が舟形（具体的には、円筒状の部分のパウチ左右方向Ｘの両端付近からパウチ左右方向Ｘの外側に向けて突出する略三角形状の突出部が形成された形状）に形成された取付部３２と、取付部３２から上方に向けて延びる注出筒部３３と、取付部３２から下方に向けて延びパウチ２０の内側に配置されるストロー部３４と、取付部３２の上方において互いに間隔を置いて形成される複数のフランジ部３５、３６とを一体に有している。
【００１７】
取付部３２は、図１〜４に示すように、その長手方向をパウチ左右方向Ｘに向けた状態で、パウチ２０の表側フィルム部２１および裏側フィルム部２２の間に配置され、熱溶着等によって表側フィルム部２１および裏側フィルム部２２に固着される部位である。
取付部３２は、図２〜４に示すように、パウチ表裏方向Ｙにおける表側に面する表側取付部端面３２ａと、パウチ表裏方向Ｙにおける裏側に面する裏側取付部端面３２ｂとを有している。
取付部３２は、図３や図４に示すように、上下方向Ｚに沿って形成された丸孔状の注出孔３２ｃを有している。
【００１８】
注出筒部３３は、図２〜４に示すように、取付部３２の注出孔３２ｃに上下方向Ｚに連続する丸孔状の注出孔３３ａを有した円筒状の部位である。
注出筒部３３の上端側（第２フランジ部３６よりも上方側）において、注出筒部３３の外周面には、図２に示すように、キャップ部３７に係合可能なネジ部３３ｂが形成されている。
【００１９】
また、第１フランジ部３５と第２フランジ部３６との間において、注出筒部３３の外周面には、図２に示すように、フランジ間部３３ｃが形成されている。
フランジ間部３３ｃは、パウチ表裏方向Ｙの表側または裏側に面し、パウチ左右方向Ｘおよび上下方向Ｚに平行な表側端面および裏側端面と、パウチ左右方向Ｘの左側または右側に面し、パウチ表裏方向Ｙおよび上下方向Ｚに平行な左側端面および右側端面とを有している。
フランジ間部３３ｃの表側端面および裏側端面は、その全面に亘って、フランジ部３５、３６よりも、パウチ表裏方向Ｙの外側に突出しないように形成されているのが好ましい。
なお、本実施形態では、フランジ間部３３ｃの表側端面および裏側端面は、パウチ左右方向Ｘにおいて注出孔３２ｃの中心軸に対応する中央位置Ｃにおいて、フランジ部３５、３６よりも、パウチ表裏方向Ｙの内側に位置している。
また、フランジ間部３３ｃの左側端面および右側端面は、フランジ部３５、３６よりも、パウチ左右方向Ｘの内側に位置している。
【００２０】
ストロー部３４は、図１に示すように、パウチ２０の内部に配置され、パウチ２０の内部に内容物を注出するための流路を形成するための部位である。
【００２１】
複数のフランジ部３５、３６には、図２に示すように、最も下方に形成された（取付部３２の最も近くに形成される）第１フランジ部３５と、第１フランジ部３５の上方に形成された第２フランジ部３６とが含まれる。
【００２２】
第１フランジ部３５は、取付部３２の上方に隙間無く隣接して形成され、図２や図３に示すように、パウチ表裏方向Ｙにおける表側に面する第１表側フランジ端面３５ａと、パウチ表裏方向Ｙにおける裏側に面する第１裏側フランジ端面３５ｂとを有している。
【００２３】
第１フランジ部３５の各フランジ端面３５ａ、３５ｂは、図３に示すように、キャップ開栓時におけるキャップ部３７に対するスパウト本体３１の相対的な回転方向の前方側（キャップ開栓時にトルクがかかる側）に形成された第１フランジ膨出部３５ｃと、回転方向の後方側に形成された平坦部３５ｅと、フランジ端面３５ａ、３５ｂのパウチ左右方向Ｘの両端に形成されたＲ部とを有している。
【００２４】
第１フランジ膨出部３５ｃは、図３に示すように、中央位置Ｃよりも、回転方向の前方側に寄った位置において、パウチ表裏方向Ｙの外側に膨出して形成され、具体的には、平坦部３５ｅよりもパウチ表裏方向Ｙの外側に突出した凸部として形成されている。
各第１フランジ膨出部３５ｃは、パウチ左右方向Ｘおよび上下方向Ｚに平行に形成されたフラット部３５ｄを有している。
平坦部３５ｅは、図３に示すように、中央位置Ｃを跨ぐように形成され、また、パウチ左右方向Ｘおよび上下方向Ｚに平行に形成されている。
各フランジ端面３５ａ、３５ｂ（の平坦部３５ｅ）は、中央位置Ｃにおいて、各取付部端面３２ａ、３２ｂよりもパウチ表裏方向Ｙの外側に位置している。
【００２５】
第２フランジ部３６は、図２に示すように、第１フランジ部３５の上方かつネジ部３３ｂよりも下方において、注出筒部３３の外周に形成されている。
【００２６】
第２フランジ部３６は、図４に示すように、パウチ表裏方向Ｙにおける表側に面する第２表側フランジ端面３６ａと、パウチ表裏方向Ｙにおける裏側に面する第２裏側フランジ端面３６ｂとを有している。
【００２７】
第２フランジ部３６の各フランジ端面３６ａ、３６ｂは、図４に示すように、中央位置Ｃよりも、回転方向の前方側および後方側に寄った位置に、パウチ表裏方向Ｙの外側に膨出した第２フランジ膨出部３６ｃをそれぞれ有している。
また、フランジ端面３５ａ、３５ｂのパウチ左右方向Ｘの両端には、Ｒ部が形成されている。
【００２８】
各第２フランジ膨出部３６ｃは、図４に示すように、中央位置Ｃ側に形成された凹状の湾曲面３６ｄと、湾曲面３６ｄよりもパウチ左右方向Ｘの外側に形成されたフラット部３６ｅとを有している。
【００２９】
回転方向の前方側の湾曲面３６ｄと後方側の湾曲面３６ｄとは、図４に示すように、滑らかに連続して形成されており、これにより、フランジ端面３６ａ、３６ｂのパウチ左右方向Ｘの中央には、凹状湾曲部３６ｆが形成されている。
【００３０】
各フラット部３６ｅは、図１に示すように、湾曲面３６ｄよりもパウチ表裏方向Ｙの外側に位置し、また、パウチ左右方向Ｘおよび上下方向Ｚに平行に形成されている。
第２フランジ部３６のフラット部３６ｅは、パウチ表裏方向Ｙにおける第１フランジ部３５の第１フランジ膨出部３５ｃの最外箇所（本実施形態では、フラット部３５ｄ）よりもパウチ表裏方向Ｙの外側、または、パウチ表裏方向Ｙにおいて第１フランジ膨出部３５ｃの最外箇所と同じ位置に位置している。
【００３１】
キャップ部３７は、スパウト本体３１のネジ部３３ｂに係合可能なネジ部（図示しない）をその内周面に有し、上下軸を中心としてスパウト本体３１に対してキャップ部３７を回転させることで、キャップ部３７に対して開栓および閉栓されるように構成されている。具体的には、本実施形態では、キャップ部３７を上方から見た場合に、キャップ部３７を時計回りに回転させた場合に、キャップ部３７が閉栓され、キャップ部３７を反時計回りに回転させた場合に、キャップ部３７が開栓されるように構成されている。
【００３２】
次に、スパウト付きパウチ１０の各部間の寸法関係について、以下に説明する。
【００３３】
まず、図３に示すように、中央位置Ｃにおける、表側取付部端面３２ａ（の最外箇所）と第１表側フランジ端面３５ａ（の最外箇所）との間のパウチ表裏方向Ｙの距離Ｄ１は、０．５ｍｍ以内に設定されている。
また、距離Ｄ１は、表側フィルム部２１の厚み寸法Ｔ１以上に設定されることが好ましく、更には、距離Ｄ１は、表側フィルム部２１の厚み寸法Ｔ１の１．０〜３．０倍に設定されていることが好ましい。
【００３４】
また、図３に示すように、中央位置Ｃにおける、裏側取付部端面３２ｂ（の最外箇所）と第１裏側フランジ端面３５ｂ（の最外箇所）との間のパウチ表裏方向Ｙの距離Ｄ２は、０．５ｍｍ以内に設定されている。
また、距離Ｄ２は、裏側フィルム部２２の厚み寸法Ｔ２以上に設定されることが好ましく、更には、距離Ｄ２は、裏側フィルム部２２の厚み寸法Ｔ２の１．０〜３．０倍に設定されていることが好ましい。
【００３５】
なお、本実施形態では、厚み寸法Ｔ１と厚み寸法Ｔ２とは等しく設定され、また、距離Ｄ１と距離Ｄ２とは等しく設定されている。
【００３６】
また、図４に示すように、中央位置Ｃにおける、表側取付部端面３２ａ（の最外箇所）と第２表側フランジ端面３６ａ（の最外箇所）との間のパウチ表裏方向Ｙの距離Ｄ３は、０．５ｍｍ以内に設定されている。
また、中央位置Ｃにおける、裏側取付部端面３２ｂ（の最外箇所）と第２裏側フランジ端面３６ｂ（の最外箇所）との間のパウチ表裏方向Ｙの距離Ｄ４は、０．５ｍｍ以内に設定されている。
【００３７】
また、中央位置Ｃにおける、フランジ間部３３ｃの表側端面（の最外箇所）と第１表側フランジ端面３５ａ（の最外箇所）との間のパウチ表裏方向Ｙの距離Ｄ５は、０．５ｍｍ以内に設定され、また、また、中央位置Ｃにおける、フランジ間部３３ｃの表側端面（の最外箇所）と第２表側フランジ端面３６ａ（の最外箇所）との間のパウチ表裏方向Ｙの距離Ｄ６は、０．５ｍｍ以内に設定されている。
また、中央位置Ｃにおける、フランジ間部３３ｃの裏側端面（の最外箇所）と第１裏側フランジ端面３５ｂ（の最外箇所）との間のパウチ表裏方向Ｙの距離Ｄ７は、０．５ｍｍ以内に設定され、また、また、中央位置Ｃにおける、フランジ間部３３ｃの表側端面（の最外箇所）と第２裏側フランジ端面３６ｂ（の最外箇所）との間のパウチ表裏方向Ｙの距離Ｄ８は、０．５ｍｍ以内に設定されている。
【００３８】
以上、本発明の実施形態を詳述したが、本発明は上記実施形態に限定されるものではなく、特許請求の範囲に記載された本発明を逸脱することなく種々の設計変更を行なうことが可能である。
【００３９】
例えば、前述または後述する実施形態や変形例の各構成を、任意に組み合わせてスパウト付きパウチ１０を構成しても何ら構わない。
また、パウチ２０を構成するフィルムの具体的態様は、如何なるものでもよく、その具体例としては、ポリエステル、ポリプロピレン、ポリアミド、ポリエチレン、ボリブチレンテレフタレート、エチレン−ビニルアルコール共重合体等の合成樹脂性フィルムや、これら合成樹脂性フィルムにガスバリア性や水分バリア性を付与したコーティングフィルム又は蒸着フィルム等の公知の合成樹脂性フィルムを積層したり、合成樹脂製フィルムに紙またはアルミ箔を積層することで形成されたもの等が挙げられる。
【００４０】
また、上述した実施形態では、第１フランジ部３５が取付部３２の上方に隣接して形成されているものとして説明したが、第１フランジ部３５を取付部３２の上方に取付部３２から離間して形成してもよい。
また、上述した実施形態では、第１表側フランジ端面３５ａおよび第１裏側フランジ端面３５ｂの両方が第１フランジ膨出部３５ｃを有しているものとして説明したが、第１表側フランジ端面３５ａまたは第１裏側フランジ端面３５ｂの一方のみに、第１フランジ膨出部３５ｃを形成してもよい。
また、上述した実施形態では、取付部３２、注出筒部３３、フランジ間部３３ｃ、第１フランジ部３５、および、第２フランジ部３６のパウチ左右方向Ｘの中央位置が、中央位置Ｃに一致しているものとして説明したが、取付部３２、注出筒部３３、フランジ間部３３ｃ、第１フランジ部３５、および、第２フランジ部３６の少なくとも１つの中央位置が、中央位置Ｃからパウチ左右方向Ｘにずれていてもよい。
また、上述した実施形態では、取付部３２、注出筒部３３、フランジ間部３３ｃ、第１フランジ部３５、および、第２フランジ部３６のパウチ表裏方向Ｙの中央位置が、パウチ表裏方向Ｙにおいて注出孔３２ｃの中心軸に対応する中央位置に一致しているものとして説明したが、取付部３２、注出筒部３３、フランジ間部３３ｃ、第１フランジ部３５、および、第２フランジ部３６の少なくとも１つの中央位置が、パウチ表裏方向Ｙにおいて注出孔３２ｃの中心軸に対応する中央位置からパウチ表裏方向Ｙにずれていてもよい。
また、上述した実施形態では、フランジ端面３５ａ、３５ｂ、３６ａ、３６ｂが、中央位置Ｃにおいて、取付部端面３２ａ、３２ｂよりもパウチ表裏方向Ｙの外側に位置しているものとして説明したが、フランジ端面３５ａ、３５ｂ、３６ａ、３６ｂの少なくとも１つが、中央位置Ｃにおいて、取付部端面３２ａ、３２ｂよりもパウチ表裏方向Ｙの内側、または、取付部端面３２ａ、３２ｂとパウチ表裏方向Ｙの同じ位置に、位置していてもよい。
また、上述した実施形態では、距離Ｄ１〜Ｄ４が互いに同じ寸法で設定されているものとして説明したが、距離Ｄ１〜Ｄ４の寸法設計は上記に限定されず、距離Ｄ１〜Ｄ４の少なくとも１つを他と異なる寸法とする等、距離Ｄ１〜Ｄ４の寸法を任意に設定すればよい。
なお、距離Ｄ１の寸法設定と距離Ｄ３の寸法設定とを異ならせる場合、距離Ｄ１と距離Ｄ３との寸法差を０．２５ｍｍ以内に収めるのが好ましく、また、距離Ｄ１よりも距離Ｄ３の寸法を大きく設定するのが好ましい。
また、同様に、距離Ｄ２の寸法設定と距離Ｄ４の寸法設定とを異ならせる場合、距離Ｄ２と距離Ｄ４との寸法差を０．２５ｍｍ以内に収めるのが好ましく、また、距離Ｄ２よりも距離Ｄ４の寸法を大きく設定するのが好ましい。
また、上述した実施形態では、第１フランジ部３５が、図３に示す形状で形成されているものとして説明したが、第１フランジ部３５の具体的態様は、上記に限定されず、例えば、第１フランジ部３５の態様として、図４に示す第２フランジ部３６の形状と同様の形状を採用してもよく、また、図５に示す変形例のように、第１フランジ膨出部３５ｃが形成されていない態様を採用してもよい。なお、この図５に示す変形例では、第１表側フランジ端面３５ａおよび第１裏側フランジ端面３５ｂが、中央位置Ｃを跨ぐように形成された、パウチ左右方向Ｘおよび上下方向Ｚに平行な平坦部と、平坦部のパウチ左右方向Ｘの両端に形成されたＲ部とから構成されている。また、図５に示す変形例では、上述した距離Ｄ１、Ｄ２が０．５ｍｍ以内に設定されている。
また、上述した実施形態では、第２フランジ部３６が、図４に示す形状で形成されているものとして説明したが、第２フランジ部３６の具体的態様は上記に限定されず、例えば、第２フランジ部３６の態様として、図３に示す第１フランジ部３５の形状と同様の形状を採用してもよく、また、図５に示す変形例のように、第１フランジ膨出部３５ｃが形成されていない態様を採用してもよい。なお、この図５に示す変形例では、第２表側フランジ端面３６ａおよび第２裏側フランジ端面３６ｂが、中央位置Ｃを跨ぐように形成された、パウチ左右方向Ｘおよび上下方向Ｚに平行な平坦部と、平坦部のパウチ左右方向Ｘの両端に形成されたＲ部とから構成されている。また、図５に示す変形例では、上述した距離Ｄ３、Ｄ４が０．５ｍｍ以内に設定されている。
また、第２フランジ部３６の態様として、上述した距離Ｄ３、Ｄ４が０．５ｍｍよりも大きく設定された図６に示すような態様を採用してもよい。この場合、パウチ表裏方向Ｙの外側に張り出した第２フランジ膨出部３６によって、取付部３２や第１フランジ部３５を掴んだ使用者の指がキャップ部３７に当たることを抑制することができ、特に、キャップ部３７側にＴＥ（タンパーエビデント）バンドが残る所謂バンドスプリットタイプのキャップ部３７を採用した場合であっても、使用者の指がＴＥバンドに当たることを抑制することが可能であるため、キャップ開閉を安定して行うことができる。
また、上述した実施形態では、第２フランジ部３６が１つ形成されているものとして説明したが、第２フランジ部３６の数量は、２つ以上であってもよく、また、第２フランジ部３６を形成しなくてもよい。しかしながら、第２フランジ部３６を形成した場合、第１フランジ部３５と第２フランジ部３６との間にレールを通して、スパウト付きパウチ１０を搬送することが可能であるため、第２フランジ部３６を形成するのが好ましい。
また、取付部３２の各取付部端面３２ａ、３２ｂおよび各フランジ部３５、３６の各フランジ端面３５ａ、３５ｂ、３６ａ、３６ｂ、特に、第１フランジ部３５の各フランジ端面３５ａ、３５ｂに、ローレット加工、ブラスト加工等の滑り止め加工を施してもよい。
また、表側フィルム部２１および裏側フィルム部２２は、互いに分離した別個のフィルムから構成されていてもよく、一枚の連続したフィルムとして構成されていてもよい。
【符号の説明】
【００４１】
１０    ・・・  スパウト付きパウチ
２０    ・・・  パウチ
２１    ・・・  表側フィルム部
２２    ・・・  裏側フィルム部
３０    ・・・  スパウト
３１    ・・・  スパウト本体
３２    ・・・  取付部
３２ａ  ・・・  表側取付部端面
３２ｂ  ・・・  裏側取付部端面
３２ｃ  ・・・  注出孔
３３    ・・・  注出筒部
３３ａ  ・・・  注出孔
３３ｂ  ・・・  ネジ部
３３ｃ  ・・・  フランジ間部
３４    ・・・  ストロー部
３５    ・・・  第１フランジ部
３５ａ  ・・・  第１表側フランジ端面
３５ｂ  ・・・  第１裏側フランジ端面
３５ｃ  ・・・  第１フランジ膨出部
３５ｄ  ・・・  フラット部
３５ｅ  ・・・  平坦部
３６    ・・・  第２フランジ部
３６ａ  ・・・  第２表側フランジ端面
３６ｂ  ・・・  第２裏側フランジ端面
３６ｃ  ・・・  第２フランジ膨出部
３６ｄ  ・・・  湾曲面
３６ｅ  ・・・  フラット部
３６ｆ  ・・・  凹状湾曲部
３７    ・・・  キャップ部
Ｃ    ・・・  中央位置
Ｘ    ・・・  パウチ左右方向
Ｙ    ・・・  パウチ表裏方向
Ｚ    ・・・  上下方向
【図１】
2020063082.tif 000003
【図２】
2020063082.tif 000004
【図３】
2020063082.tif 000005
【図４】
2020063082.tif 000006
【図５】
2020063082.tif 000007
【図６】
2020063082.tif 000008